(57)【要約】【課題】リレーノードの周辺セルの状況を考慮して、適切に「ＤｅＮＢ  ｃｅｌｌ  ｌｉｓｔ」を決定する。【解決手段】本発明に係る移動通信システムは、第１手順（Ｐｈａｓｅ-Ｉ）において、無線基地局ｅＮＢが、リレーノードＲＮに対して「ｍｅａｓｕｒｅｍｅｎｔ  ｃｏｎｆｉｇｕｒａｔｉｏｎ」を通知する工程と、リレーノードＲＮが、「ｍｅａｓｕｒｅｍｅｎｔ  ｃｏｎｆｉｇｕｒａｔｉｏｎ」に基づいて「ｍｅａｓｕｒｅｍｅｎｔ」を行い、無線基地局ｅＮＢに対して「Ｍｅａｓｕｒｅｍｅｎｔ  Ｒｅｐｏｒｔ」を送信する工程と、無線基地局ｅＮＢが、運用保守サーバＯＡＭに対して「Ｍｅａｓｕｒｅｍｅｎｔ  Ｒｅｐｏｒｔ」を転送する工程と、運用保守サーバＯＡＭが、「Ｍｅａｓｕｒｅｍｅｎｔ  Ｒｅｐｏｒｔ」に基づいて「ＤｅＮＢ  ｃｅｌｌ  ｌｉｓｔ」を決定する工程とを有する。【選択図】図２
2012080367.tif 000002
【特許請求の範囲】
【請求項１】
リレーノードが無線基地局を介して移動局としてネットワークにアタッチするための第１手順において、該無線基地局が、該リレーノードに対して測定方法を通知する工程Ａと、
前記リレーノードが、前記測定方法に基づいて測定処理を行う工程Ｂと、
前記リレーノードが、前記無線基地局に対して前記測定結果を含む測定報告を送信する工程Ｃと、
前記無線基地局が、運用保守サーバに対して前記測定報告を転送する工程Ｄと、
前記運用保守サーバが、前記測定報告に基づいて前記リレーノードが接続可能な無線基地局を決定し、前記リレーノードに対して該リレーノードが接続可能な無線基地局を通知する工程Ｅと、
前記リレーノードが、通知された前記リレーノードが接続可能な無線基地局の１つを介してリレーノードとしてネットワークにアタッチするための第２手順を行う工程Ｆとを有することを特徴とする移動通信方法。
【請求項２】
前記第１手順において、前記無線基地局は、受信したコネクション要求信号に自身がリレーノードであることを示す情報が含まれている場合にのみ、前記リレーノードに対して前記測定方法を通知することを特徴とする請求項１に記載の移動通信方法。
【請求項３】
前記第１手順において、前記無線基地局は、受信したコネクション設定完了信号に自身がリレーノードであることを示す情報が含まれている場合にのみ、前記リレーノードに対して前記測定方法を通知することを特徴とする請求項１に記載の移動通信方法。
【請求項４】
前記第１手順において、前記無線基地局は、移動管理ノードから受信した初期コンテキスト設定要求信号に自身がリレーノードであることを示す情報が含まれている場合にのみ、前記リレーノードに対して前記測定方法を通知することを特徴とする請求項１に記載の移動通信方法。
【請求項５】
前記工程Ｄは、
前記無線基地局が、前記第１手順において移動管理ノードから受信した初期コンテキスト設定要求信号に含まれているアドレス情報に基づいて、トレース収集ノードに対して前記測定報告を転送する工程と、
前記トレース収集ノードが、前記運用保守サーバに対して前記測定報告を転送する工程とを有することを特徴とする請求項１に記載の移動通信方法。
【請求項６】
リレーノードが、無線基地局を介して移動局としてネットワークにアタッチするための第１手順を行った後、所定の測定処理を行う工程と、
前記リレーノードが、前記無線基地局に対して前記測定結果を含む測定報告を送信する工程と、
前記無線基地局が、運用保守サーバに対して前記測定報告を転送する工程と、
前記運用保守サーバが、前記測定報告に基づいて前記リレーノードが接続可能な無線基地局を決定し、前記リレーノードに対して該リレーノードが接続可能な無線基地局を通知する工程と、
前記リレーノードが、通知された前記リレーノードが接続可能な無線基地局の１つを介してリレーノードとしてネットワークにアタッチするための第２手順を行う工程とを有することを特徴とする移動通信方法。
【発明の詳細な説明】
【技術分野】
【０００１】
本発明は、移動通信方法に関する。
【背景技術】
【０００２】
ＬＴＥ（Ｌｏｎｇ  Ｔｅｒｍ  Ｅｖｏｌｕｔｉｏｎ）方式において、リレーノードＲＮ（Ｒｅｌａｙ  Ｎｏｄｅ）は、起動時に、ＵＥとしてネットワークにアタッチ（ａｔｔａｃｈ）するための第１手順（Ｐｈａｓｅ-Ｉ）を行った後に、ＲＮとしてネットワークにアタッチするための第２手順（Ｐｈａｓｅ-II）を行うように構成されている（例えば、非特許文献１参照）。
【０００３】
ここで、リレーノードＲＮは、第２手順（Ｐｈａｓｅ-II）において、第１手順（Ｐｈａｓｅ-II）で運用保守サーバＯＡＭからダウンロードした「ＤｅＮＢ  ｃｅｌｌ  ｌｉｓｔ」に含まれるセルを管理する無線基地局ＤｅＮＢに対して接続するように構成されている。
【０００４】
また、かかるＬＴＥ方式では、リレーノードＲＮが、第１手順（Ｐｈａｓｅ-Ｉ）においてネットワークにアタッチした際に、周辺セルに対する「ｍｅａｓｕｒｅｍｅｎｔ」を行い、運用保守サーバＯＡＭに対して、かかる「ｍｅａｓｕｒｅｍｅｎｔ」の結果を含む「Ｍｅａｓｕｒｅｍｅｎｔ  Ｒｅｐｏｒｔ」を送信し、かかる運用保守サーバＯＡＭが、「Ｍｅａｓｕｒｅｍｅｎｔ  Ｒｅｐｏｒｔ」に基づいて、「ＤｅＮＢ  ｃｅｌｌ  ｌｉｓｔ」を決定することが想定される。
【先行技術文献】
【非特許文献】
【０００５】
【非特許文献１】３ＧＰＰ寄書Ｒ３-１０２４５１
【非特許文献２】３ＧＰＰ  ＴＳ３６．３００
【非特許文献３】３ＧＰＰ  ＴＳ３６．３３１
【発明の概要】
【発明が解決しようとする課題】
【０００６】
しかしながら、従来のＬＴＥ方式では、リレーノードＲＮが、第１手順（Ｐｈａｓｅ-Ｉ）においてネットワークにアタッチした際に、どのようにして、周辺セルに対する「ｍｅａｓｕｒｅｍｅｎｔ」を行うべきであるかについて規定されていないという問題点があった。
【０００７】
そこで、本発明は、上述の課題に鑑みてなされたものであり、リレーノードの周辺セルの状況を考慮して、適切に「ＤｅＮＢ  ｃｅｌｌ  ｌｉｓｔ」を決定することができる移動通信方法を提供することを目的とする。
【課題を解決するための手段】
【０００８】
本発明の第１の特徴は、リレーノードが無線基地局を介して移動局としてネットワークにアタッチするための第１手順において、該無線基地局が、該リレーノードに対して測定方法を通知する工程Ａと、前記リレーノードが、前記測定方法に基づいて測定処理を行う工程Ｂと、前記リレーノードが、前記無線基地局に対して前記測定結果を含む測定報告を送信する工程Ｃと、前記無線基地局が、運用保守サーバに対して前記測定報告を転送する工程Ｄと、前記運用保守サーバが、前記測定報告に基づいて前記リレーノードが接続可能な無線基地局を決定し、前記リレーノードに対して該リレーノードが接続可能な無線基地局を通知する工程Ｅと、前記リレーノードが、通知された前記リレーノードが接続可能な無線基地局の１つを介してリレーノードとしてネットワークにアタッチするための第２手順を行う工程Ｆとを有することを要旨とする。
【０００９】
本発明の第２の特徴は、リレーノードが、無線基地局を介して移動局としてネットワークにアタッチするための第１手順を行った後、所定の測定処理を行う工程と、前記リレーノードが、前記無線基地局に対して前記測定結果を含む測定報告を送信する工程と、前記無線基地局が、運用保守サーバに対して前記測定報告を転送する工程と、前記運用保守サーバが、前記測定報告に基づいて前記リレーノードが接続可能な無線基地局を決定し、前記リレーノードに対して該リレーノードが接続可能な無線基地局を通知する工程と、前記リレーノードが、通知された前記リレーノードが接続可能な無線基地局の１つを介してリレーノードとしてネットワークにアタッチするための第２手順を行う工程とを有することを要旨とする。
【発明の効果】
【００１０】
以上説明したように、本発明によれば、リレーノードの周辺セルの状況を考慮して、適切に「ＤｅＮＢ  ｃｅｌｌ  ｌｉｓｔ」を決定することができる移動通信方法を提供することができる。
【図面の簡単な説明】
【００１１】
【図１】本発明の第１の実施形態に係る移動通信システムの全体構成図である。
【図２】本発明の第１の実施形態に係る移動通信システムの動作を示すシーケンス図である。
【図３】本発明の変更例１に係る移動通信システムの動作を示すシーケンス図である。
【図４】本発明の変更例１に係る移動通信システムで用いられる「Ｉｎｉｔｉａｌ  Ｃｏｎｔｅｘｔ  Ｓｔｅｕｐ  Ｒｅｑｕｅｓｔ」のフォーマットの一例を示す図である。
【図５】本発明の変更例１に係る移動通信システムで用いられる「Ｉｎｉｔｉａｌ  Ｃｏｎｔｅｘｔ  Ｓｔｅｕｐ  Ｒｅｑｕｅｓｔ」内の情報要素「Ｔｒａｃｅ  Ａｃｔｉｖａｔｉｏｎ」のフォーマットの一例を示す図である。
【図６】本発明の変更例２に係る移動通信システムの動作を示すシーケンス図である。
【発明を実施するための形態】
【００１２】
（本発明の第１の実施形態に係る移動通信システム）
図１及び図２を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１３】
図１に示すように、本実施形態に係る移動通信システムは、リレーノードＲＮと、リレーノードＲＮが接続することができる無線基地局ＤｅＮＢと、リレーノードＲＮが接続することができない無線基地局ｅＮＢと、無線基地局ＤｅＮＢ及び無線基地局ｅＮＢを収容する移動管理ノードＭＭＥ（Ｍｏｂｉｌｉｔｙ  Ｍａｎａｇｅｍｅｎｔ  Ｅｎｔｉｔｙ）と、ゲートウェイ装置Ｓ-ＧＷ（Ｓｅｒｖｉｎｇ-Ｇａｔｅｗａｙ）と、ゲートウェイ装置Ｐ-ＧＷ（Ｐｒｏｘｙ-Ｇａｔｅｗａｙ）と、加入者管理サーバＨＳＳ（Ｈｏｍｅ  Ｓｕｂｓｃｒｉｂｅｒ  Ｓｅｒｖｅｒ）と、運用保守サーバＯＡＭと、トレース収集サーバＴＣＥ（Ｔｒａｃｅ  Ｃｏｌｌｅｃｔｉｏｎ  Ｅｎｔｉｔｙ）とを具備している。
【００１４】
以下、図２を参照して、本実施形態に係る移動通信システムにおいて、リレーノードＲＮの起動時の動作について説明する。
【００１５】
図２に示すように、リレーノードＲＮは、ステップＳ１０００において、電源が投入されると、ステップＳ１００１において、セルサーチ（Ｃｅｌｌ  Ｓｅａｒｃｈ）処理によって発見したセルを管理する無線基地局ｅＮＢとの間で、ＲＲＣコネクションの設定処理（ＲＲＣ  ｃｏｎｎｅｃｔｉｏｎ  ｓｅｔｕｐ）を行う。
【００１６】
具体的には、ステップＳ１００１Ａにおいて、リレーノードＲＮは、無線基地局ｅＮＢに対して「ＲＲＣ  Ｃｏｎｎｅｃｔｉｏｎ  Ｒｅｑｕｅｓｔ」を送信し、ステップＳ１００１Ｂにおいて、無線基地局ｅＮＢは、リレーノードＲＮに対して「ＲＲＣ  Ｃｏｎｎｅｃｔｉｏｎ  Ｓｅｔｕｐ」を送信し、ステップＳ１００１Ｃにおいて、リレーノードＲＮは、無線基地局ｅＮＢに対して「ＲＲＣ  Ｃｏｎｎｅｃｔｉｏｎ  Ｓｅｔｕｐ  Ｃｏｍｐｌｅｔｅ」を送信する。
【００１７】
ここで、ステップＳ１００１Ａにおいて、リレーノードＲＮは、かかる「ＲＲＣ  Ｃｏｎｎｅｃｔｉｏｎ  Ｒｅｑｕｅｓｔ」内に「ＲＮ用のｅｓｔａｂｌｉｓｈｍｅｎｔ  ｃａｕｓｅ（自身がリレーノードＲＮであることを示す情報）」を設定してもよい。
【００１８】
また、ステップＳ１００１Ｃにおいて、リレーノードＲＮは、「ＲＲＣ  Ｃｏｎｎｅｃｔｉｏｎ  Ｓｅｔｕｐ  Ｃｏｍｐｌｅｔｅ」内に、自身がリレーノードＲＮであることを示す「ｉｎｄｉｃａｔｉｏｎ  ｂｉｔ」を設定してもよい。
【００１９】
なお、図２の例において、ステップＳ１００１で、リレーノードＲＮは、無線基地局ｅＮＢの代わりに、無線基地局ＤｅＮＢとの間のＲＲＣコネクションの設定処理を行ってもよい。
【００２０】
ステップＳ１００２において、リレーノードＲＮと移動管理ノードＭＭＥとの間で、ＮＡＳ（Ｎｏｎ  Ａｃｃｅｓｓ  Ｓｔｒａｔｕｍ）のアタッチ処理（ＮＡＳ  Ａｔｔａｃｈ処理）や、Ａｕｔｈｅｎｔｉｃａｔｉｏｎ処理や、Ｓｅｃｕｒｉｔｙ処理等を行う。
【００２１】
ステップＳ１００３において、移動管理ノードＭＭＥと加入者管理サーバＨＳＳとの間で、Ａｕｔｈｅｎｔｉｃａｔｉｏｎ処理や、Ｓｅｃｕｒｉｔｙ処理等を行う。
【００２２】
ステップＳ１００４において、移動管理ノードＭＭＥとゲートウェイ装置Ｓ/Ｐ-ＧＷとの間で、ＧＴＰ-Ｃセッションを生成する。
【００２３】
ステップＳ１００５において、無線基地局ｅＮＢと移動管理ノードＭＭＥとの間で、Ｓ１コンテキストの設定処理を行い、ステップＳ１００６において、リレーノードＲＮと無線基地局ｅＮＢとの間で、ＲＲＣコネクションの再構成（ＲＲＣ  ｒｅｃｏｎｆｉｇｒａｔｉｏｎ）処理を行う。
【００２４】
ここで、ステップＳ１００５において、移動管理ノードＭＭＥは、無線基地局ｅＮＢに送信する「Ｓ１  Ｉｎｉｔｉａｌ  Ｃｏｎｔｅｘｔ  Ｓｅｔｕｐ  Ｒｅｑｕｅｓｔ（初期コンテキスト設定要求信号）」内に、自身がリレーノードＲＮであることを示す情報を設定してもよい。
【００２５】
また、ステップＳ１００６において、無線基地局ｅＮＢは、リレーノードＲＮに対して、「ｍｅａｓｕｒｅｍｅｎｔ  ｃｏｎｆｉｇｕｒａｔｉｏｎ」を含む「ＲＲＣ  Ｃｏｎｎｅｃｔｉｏｎ  Ｒｅｃｏｎｆｉｇｕｒａｔｉｏｎ」を送信する。
【００２６】
ここで、無線基地局ｅＮＢは、ステップＳ１００１Ａで受信した「ＲＲＣ  Ｃｏｎｎｅｃｔｉｏｎ  Ｒｅｑｕｅｓｔ」に「ＲＮ用のｅｓｔａｂｌｉｓｈｍｅｎｔ  ｃａｕｓｅ」が含まれている場合にのみ、「ＲＲＣ  Ｃｏｎｎｅｃｔｉｏｎ  Ｒｅｃｏｎｆｉｇｕｒａｔｉｏｎ」によって「ｍｅａｓｕｒｅｍｅｎｔ  ｃｏｎｆｉｇｕｒａｔｉｏｎ」を通知してもよい。
【００２７】
また、無線基地局ｅＮＢは、ステップＳ１００１Ｃで受信した「ＲＲＣ  Ｃｏｎｎｅｃｔｉｏｎ  Ｓｅｔｕｐ  Ｃｏｍｐｌｅｔｅ」に自身がリレーノードＲＮであることを示す「ｉｎｄｉｃａｔｉｏｎ  ｂｉｔ」が含まれている場合にのみ、「ＲＲＣ  Ｃｏｎｎｅｃｔｉｏｎ  Ｒｅｃｏｎｆｉｇｕｒａｔｉｏｎ」によって「ｍｅａｓｕｒｅｍｅｎｔ  ｃｏｎｆｉｇｕｒａｔｉｏｎ」を通知してもよい。
【００２８】
或いは、無線基地局ｅＮＢは、ステップＳ１００５で受信した「Ｓ１  Ｉｎｉｔｉａｌ  Ｃｏｎｔｅｘｔ  Ｓｅｔｕｐ  Ｒｅｑｕｅｓｔ」に自身がリレーノードＲＮであることを示す情報が含まれている場合にのみ、「ＲＲＣ  Ｃｏｎｎｅｃｔｉｏｎ  Ｒｅｃｏｎｆｉｇｕｒａｔｉｏｎ」によって「ｍｅａｓｕｒｅｍｅｎｔ  ｃｏｎｆｉｇｕｒａｔｉｏｎ」を通知してもよい。
【００２９】
上述のステップＳ１００１乃至Ｓ１００６が、リレーノードＲＮが無線基地局ｅＮＢを介してＵＥとしてネットワークにアタッチするための第１手順（Ｐｈａｓｅ-Ｉ）に含まれる。
【００３０】
ステップＳ１００７において、リレーノードＲＮは、「ｍｅａｓｕｒｅｍｅｎｔ  ｃｏｎｆｉｇｕｒａｔｉｏｎ」によって指定されているセル（周波数）に対する「ｍｅａｓｕｒｅｍｅｎｔ（測定処理）」を行う。
【００３１】
そして、リレーノードＲＮは、無線基地局ｅＮＢに対して、かかる「ｍｅａｓｕｒｅｍｅｎｔ」の結果を含む「Ｍｅａｓｕｒｅｍｅｎｔ  Ｒｅｐｏｒｔ」を送信する。
【００３２】
ステップＳ１００８において、無線基地局ｅＮＢは、かかる「Ｍｅａｓｕｒｅｍｅｎｔ  Ｒｅｐｏｒｔ」を、運用保守サーバＯＡＭに対して転送する。
【００３３】
ステップＳ１００９において、運用保守サーバＯＡＭが、リレーノードＲＮに対して、リレーノードＲＮとして機能するために必要な初期パラメータ通知する。
【００３４】
具体的には、ステップＳ１００９において、運用保守サーバＯＡＭが、「Ｍｅａｓｕｒｅｍｅｎｔ  Ｒｅｐｏｒｔ」に基づいて、リレーノードＲＮが接続可能な無線基地局ＤｅＮＢを含む「ＤｅＮＢ  ｃｅｌｌ  ｌｉｓｔ」を決定し、リレーノードＲＮに対して、かかる「ＤｅＮＢ  ｃｅｌｌ  ｌｉｓｔ」を含む初期パラメータ通知する。
【００３５】
ステップＳ１０１０において、リレーノードＲＮは、ＵＥとしてはネットワークからデタッチする。
【００３６】
ステップＳ１１０１において、リレーノードＲＮが、通知された「ＤｅＮＢ  ｃｅｌｌ  ｌｉｓｔ」に含まれるセルの１つを管理する無線基地局ＤｅＮＢとの間で、ＲＲＣコネクションの設定処理（ＲＲＣ  ｃｏｎｎｅｃｔｉｏｎ  ｓｅｔｕｐ）を行う。
【００３７】
ステップＳ１１０２において、リレーノードＲＮと移動管理ノードＭＭＥとの間で、ＮＡＳのアタッチ処理（ＮＡＳ  Ａｔｔａｃｈ処理）や、Ａｕｔｈｅｎｔｉｃａｔｉｏｎ処理や、Ｓｅｃｕｒｉｔｙ処理等を行う。
【００３８】
ステップＳ１１０３において、移動管理ノードＭＭＥと加入者管理サーバＨＳＳとの間で、Ａｕｔｈｅｎｔｉｃａｔｉｏｎ処理や、Ｓｅｃｕｒｉｔｙ処理等を行う。
【００３９】
ステップＳ１１０４において、無線基地局ＤｅＮＢと移動管理ノードＭＭＥとの間で、ＧＴＰ-Ｃセッションを生成する。
【００４０】
ステップＳ１１０５において、かかる無線基地局ＤｅＮＢと移動管理ノードＭＭＥとの間で、Ｓ１コンテキストの設定処理を行い、ステップＳ１１０６において、リレーノードＲＮと無線基地局ＤｅＮＢとの間で、ＲＲＣコネクションの再構成（ＲＲＣ  ｒｅｃｏｎｆｉｇｒａｔｉｏｎ）処理を行う。
【００４１】
ステップＳ１１０７において、運用保守サーバＯＡＭは、リレーノードＲＮの構成の設定を完了し、ステップＳ１１０８において、リレーノードＲＮと無線基地局ＤｅＮＢとの間で、Ｓ１インターフェイスを設定し、ステップＳ１１０９において、リレーノードＲＮと無線基地局ＤｅＮＢとの間で、Ｘ２インターフェイスを設定する。
【００４２】
上述のステップＳ１１０１乃至Ｓ１１０９が、リレーノードＲＮが無線基地局ＤｅＮＢを介してＲＮとしてネットワークにアタッチするための第２手順（Ｐｈａｓｅ-II）に含まれる。
【００４３】
ステップＳ１１１０において、リレーノードＲＮは、ＲＮとしての運用を開始する。
【００４４】
本実施形態に係る移動通信システムによれば、リレーノードＲＮが、第１手順（Ｐｈａｓｅ-Ｉ）において、無線基地局ｅＮＢから受信した「ｍｅａｓｕｒｅｍｅｎｔ  ｃｏｎｆｉｇｕｒａｔｉｏｎ」によって指定されているセル（周波数）に対する「ｍｅａｓｕｒｅｍｅｎｔ」を行い、かかる結果を含む「Ｍｅａｓｕｒｅｍｅｎｔ  Ｒｅｐｏｒｔ」が、運用保守サーバＯＡＭに対して送信されるように構成されているため、運用保守サーバＯＡＭが、かかる「Ｍｅａｓｕｒｅｍｅｎｔ  Ｒｅｐｏｒｔ」に基づいて、すなわち、リレーノードの周辺セルの状況を考慮して、適切に「ＤｅＮＢ  ｃｅｌｌ  ｌｉｓｔ」を決定することができる。
【００４５】
（変更例１）
以下、図３乃至図５を参照して、本発明の変更例１に係る移動通信システムについて、上述の第１の実施形態に係る移動通信システムとの相違点に着目して説明する。
【００４６】
ここで、図３乃至図５を参照して、本変更例１に係る移動通信システムにおいて、リレーノードＲＮの起動時の動作について説明する。
【００４７】
図３に示すように、ステップＳ２０００乃至Ｓ２００７の動作は、図２に示すステップＳ１０００乃至Ｓ１００７の動作と同一である。
【００４８】
ステップＳ２００８において、無線基地局ｅＮＢは、ステップＳ２００５で移動管理ノードＭＭＥから受信した「Ｓ１  Ｉｎｉｔｉａｌ  Ｃｏｎｔｅｘｔ  Ｓｅｔｕｐ  Ｒｅｑｕｅｓｔ」に含まれている「Ｔｒａｃｅ  Ｃｏｌｌｅｃｔｉｏｎ  Ｅｎｔｉｔｙ  ＩＰ  Ａｄｄｒｅｓｓ（アドレス情報）」に基づいて、トレース収集ノードＴＣＥに対して「Ｍｅａｓｕｒｅｍｅｎｔ  Ｒｅｐｏｒｔ」を転送する。
【００４９】
なお、例えば、「Ｔｒａｃｅ  Ｃｏｌｌｅｃｔｉｏｎ  Ｅｎｔｉｔｙ  ＩＰ  Ａｄｄｒｅｓｓ」は、図４及び図５に示すように、「Ｓ１  Ｉｎｉｔｉａｌ  Ｃｏｎｔｅｘｔ  Ｓｅｔｕｐ  Ｒｅｑｕｅｓｔ」内の情報要素「Ｔｒａｃｅ  Ａｃｔｉｖａｔｉｏｎ」内に設定されている。
【００５０】
ここで、無線基地局ｅＮＢは、図４及び図５に示すように、「Ｓ１  Ｉｎｉｔｉａｌ  Ｃｏｎｔｅｘｔ  Ｓｅｔｕｐ  Ｒｅｑｕｅｓｔ」内の情報要素「Ｔｒａｃｅ  Ａｃｔｉｖａｔｉｏｎ」内の情報要素「Ｔｒａｃｅ  ｄｅｐｔｈ」に「ＤｅＮＢ  ｃｅｌｌ  ｍｅａｓｕｒｅｍｅｎｔ」が設定されている場合にのみ、トレース収集ノードＴＣＥに対して「Ｍｅａｓｕｒｅｍｅｎｔ  Ｒｅｐｏｒｔ」を転送してもよい。
【００５１】
その後、トレース収集ノードＴＣＥが、運用保守サーバＯＡＭに対して、かかる「Ｍｅａｓｕｒｅｍｅｎｔ  Ｒｅｐｏｒｔ」を転送し、「Ｍｅａｓｕｒｅｍｅｎｔ  Ｒｅｐｏｒｔ」に基づいて、リレーノードＲＮが接続可能な無線基地局ＤｅＮＢを含む「ＤｅＮＢ  ｃｅｌｌ  ｌｉｓｔ」を決定する。
【００５２】
以下、ステップＳ２００９乃至Ｓ２１０９の動作は、図２に示すステップＳ２００９乃至Ｓ２１０９の動作と同一である。
【００５３】
（変更例２）
以下、図６を参照して、本発明の変更例２に係る移動通信システムについて、上述の第１の実施形態に係る移動通信システムとの相違点に着目して説明する。
【００５４】
ここで、図６を参照して、本変更例１に係る移動通信システムにおいて、リレーノードＲＮの起動時の動作について説明する。
【００５５】
図６に示すように、ステップＳ３０００乃至Ｓ３００６の動作は、図２に示すステップＳ１０００乃至Ｓ１００６の動作と同一である。
【００５６】
ここで、本変更例２に係る移動通信システムでは、ステップＳ３００６において、無線基地局ｅＮＢは、リレーノードＲＮに対して、「ＲＲＣ  Ｃｏｎｎｅｃｔｉｏｎ  Ｒｅｃｏｎｆｉｇｕｒａｔｉｏｎ」によって、「ｍｅａｓｕｒｅｍｅｎｔ  ｃｏｎｆｉｇｕｒａｔｉｏｎ」を通知しない。
【００５７】
ステップＳ３００７において、リレーノードＲＮは、「ＲＲＣ  Ｃｏｎｎｅｃｔｉｏｎ  Ｒｅｃｏｎｆｉｇｕｒａｔｉｏｎ」を受信した後、ステップＳ３００８の動作が完了する前に、自律的に、所定の「ｍｅａｓｕｒｅｍｅｎｔ」を行う。
【００５８】
例えば、リレーノードＲＮは、自身が測定可能な全ての周波数に対して、かかる「ｍｅａｓｕｒｅｍｅｎｔ」を行ってもよいし、事前に設定されている周波数或いはセルに対して、かかる「ｍｅａｓｕｒｅｍｅｎｔ」を行ってもよい。
【００５９】
ステップＳ３００８において、運用保守サーバＯＡＭが、リレーノードＲＮに対して、リレーノードＲＮとして機能するために必要な初期パラメータ通知する。
【００６０】
ここで、リレーノードＲＮは、運用保守サーバＯＡＭに対して、かかる「ｍｅａｓｕｒｅｍｅｎｔ」の結果を通知してもよい。
【００６１】
ステップＳ３００９において、リレーノードＲＮは、ＵＥとしてはネットワークからデタッチする。
【００６２】
ステップＳ３１０１において、リレーノードＲＮが、上述の「ｍｅａｓｕｒｅｍｅｎｔ」の結果に基づいて、リレーノードＲＮが接続可能な無線基地局ＤｅＮＢ配下のセルの１つを決定し、かかるセルを管理する無線基地局ＤｅＮＢとの間で、ＲＲＣコネクションの設定処理（ＲＲＣ  ｃｏｎｎｅｃｔｉｏｎ  ｓｅｔｕｐ）を行う。
【００６３】
以下、ステップＳ３１０２乃至Ｓ３１０９の動作は、図２に示すステップＳ１１０２乃至Ｓ１１０９の動作と同一である。
【００６４】
以上に述べた本実施形態の特徴は、以下のように表現されていてもよい。
【００６５】
本実施形態の第１の特徴は、リレーノードＲＮが無線基地局ｅＮＢを介してＵＥとしてネットワークにアタッチするための第１手順（Ｐｈａｓｅ-Ｉ）において、無線基地局ｅＮＢが、リレーノードＲＮに対して「ｍｅａｓｕｒｅｍｅｎｔ  ｃｏｎｆｉｇｕｒａｔｉｏｎ（測定方法）」を通知する工程Ａと、リレーノードＲＮが、「ｍｅａｓｕｒｅｍｅｎｔ  ｃｏｎｆｉｇｕｒａｔｉｏｎ」に基づいて「ｍｅａｓｕｒｅｍｅｎｔ（測定処理）」を行う工程Ｂと、リレーノードＲＮが、無線基地局ｅＮＢに対して「Ｍｅａｓｕｒｅｍｅｎｔ  Ｒｅｐｏｒｔ（測定結果を含む測定報告）」を送信する工程Ｃと、無線基地局ｅＮＢが、運用保守サーバＯＡＭに対して「Ｍｅａｓｕｒｅｍｅｎｔ  Ｒｅｐｏｒｔ」を転送する工程Ｄと、運用保守サーバＯＡＭが、「Ｍｅａｓｕｒｅｍｅｎｔ  Ｒｅｐｏｒｔ」に基づいて「ＤｅＮＢ  ｃｅｌｌ  ｌｉｓｔ（リレーノードＲＮが接続可能な無線基地局ＤｅＮＢ）」を決定し、リレーノードＲＮに対して「ＤｅＮＢ  ｃｅｌｌ  ｌｉｓｔ」を通知する工程Ｅと、リレーノードＲＮが、通知された「ＤｅＮＢ  ｃｅｌｌ  ｌｉｓｔ」に含まれるセルの１つを管理する無線基地局ＤｅＮＢを介してＲＮとしてネットワークにアタッチするための第２手順（Ｐｈａｓｅ-II）を行う工程Ｆとを有することを要旨とする。
【００６６】
本実施形態の第１の特徴において、第１手順（Ｐｈａｓｅ-Ｉ）において、無線基地局ｅＮＢは、受信した「ＲＲＣ  Ｃｏｎｎｅｃｔｉｏｎ  Ｒｅｑｕｅｓｔ（コネクション要求信号）」に「ＲＮ用のｅｓｔａｂｌｉｓｈｍｅｎｔ  ｃａｕｓｅ（自身がリレーノードであることを示す情報）」が含まれている場合にのみ、リレーノードＲＮに対して「ｍｅａｓｕｒｅｍｅｎｔ  ｃｏｎｆｉｇｕｒａｔｉｏｎ」を通知してもよい。
【００６７】
本実施形態の第１の特徴において、第１手順（Ｐｈａｓｅ-Ｉ）において、無線基地局ｅＮＢは、受信した「ＲＲＣ  Ｃｏｎｎｅｃｔｉｏｎ  Ｓｅｔｕｐ  Ｃｏｍｐｌｅｔｅ（コネクション設定完了信号）」に自身がリレーノードであることを示す情報（ｉｎｄｉｃａｔｏｒ  ｂｉｔ）が含まれている場合にのみ、リレーノードＲＮに対して「ｍｅａｓｕｒｅｍｅｎｔ  ｃｏｎｆｉｇｕｒａｔｉｏｎ」を通知してもよい。
【００６８】
本実施形態の第１の特徴において、第１手順（Ｐｈａｓｅ-Ｉ）において、無線基地局ｅＮＢは、移動管理ノードＭＭＥから受信した「Ｓ１  Ｉｎｉｔｉａｌ  Ｃｏｎｔｅｘｔ  Ｓｅｔｕｐ  Ｒｅｑｕｅｓｔ（初期コンテキスト設定要求信号）」に自身がリレーノードであることを示す情報が含まれている場合にのみ、リレーノードＲＮに対して「ｍｅａｓｕｒｅｍｅｎｔ  ｃｏｎｆｉｇｕｒａｔｉｏｎ」を通知してもよい。
【００６９】
本実施形態の第１の特徴において、工程Ｄは、無線基地局ｅＮＢが、第１手順（Ｐｈａｓｅ-Ｉ）において移動管理ノードＭＭＥから受信した「Ｓ１  Ｉｎｉｔｉａｌ  Ｃｏｎｔｅｘｔ  Ｓｅｔｕｐ  Ｒｅｑｕｅｓｔ」に含まれている「Ｔｒａｃｅ  Ｃｏｌｌｅｃｔｉｏｎ  Ｅｎｔｉｔｙ  ＩＰ  Ａｄｄｒｅｓｓ（アドレス情報）」に基づいて、トレース収集ノードＴＣＥに対して「Ｍｅａｓｕｒｅｍｅｎｔ  Ｒｅｐｏｒｔ」を転送する工程と、トレース収集ノードＴＣＥが、運用保守サーバＯＡＭに対して「Ｍｅａｓｕｒｅｍｅｎｔ  Ｒｅｐｏｒｔ」を転送する工程とを有してもよい。
【００７０】
本実施形態の第２の特徴は、リレーノードＲＮが、無線基地局ｅＮＢを介してＵＥとしてネットワークにアタッチするための第１手順（Ｐｈａｓｅ-Ｉ）を行った後、所定の「ｍｅａｓｕｒｅｍｅｎｔ」を行う工程と、リレーノードＲＮが、無線基地局ｅＮＢに対して「Ｍｅａｓｕｒｅｍｅｎｔ  Ｒｅｐｏｒｔ」を送信する工程と、無線基地局ｅＮＢが、運用保守サーバＯＡＭに対して「Ｍｅａｓｕｒｅｍｅｎｔ  Ｒｅｐｏｒｔ」を転送する工程と、運用保守サーバＯＡＭが、「Ｍｅａｓｕｒｅｍｅｎｔ  Ｒｅｐｏｒｔ」に基づいて「ＤｅＮＢ  ｃｅｌｌ  ｌｉｓｔ」を決定し、リレーノードＲＮに対して「ＤｅＮＢ  ｃｅｌｌ  ｌｉｓｔ」を通知する工程と、リレーノードが、通知された「ＤｅＮＢ  ｃｅｌｌ  ｌｉｓｔ」に含まれるセルの１つを管理する無線基地局を介してＲＮとしてネットワークにアタッチするための第２手順（Ｐｈａｓｅ-II）を行う工程とを有することを要旨とする。
【００７１】
なお、上述のリレーノードＲＮや無線基地局ｅＮＢ/ＤｅＮＢや移動管理ノードＭＭＥやゲートウェイ装置Ｓ/Ｐ-ＧＷや加入者管理サーバＨＳＳや運用保守サーバＯＡＭやトレース収集ノードＴＣＥの動作は、ハードウェアによって実施されてもよいし、プロセッサによって実行されるソフトウェアモジュールによって実施されてもよいし、両者の組み合わせによって実施されてもよい。
【００７２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、リレーノードＲＮや無線基地局ｅＮＢ/ＤｅＮＢや移動管理ノードＭＭＥやゲートウェイ装置Ｓ/Ｐ-ＧＷや加入者管理サーバＨＳＳや運用保守サーバＯＡＭやトレース収集ノードＴＣＥ内に設けられていてもよい。また、かかる記憶媒体及びプロセッサは、ディスクリートコンポーネントとしてリレーノードＲＮや無線基地局ｅＮＢ/ＤｅＮＢや移動管理ノードＭＭＥやゲートウェイ装置Ｓ/Ｐ-ＧＷや加入者管理サーバＨＳＳや運用保守サーバＯＡＭやトレース収集ノードＴＣＥ内に設けられていてもよい。
【００７４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７５】
ＲＮ…リレーノード
ｅＮＢ、ＤｅＮＢ…マクロ無線基地局
ＭＭＥ…移動管理ノード
Ｓ/Ｐ-ＧＷ…ゲートウェイ装置
ＨＳＳ…加入者管理サーバ
ＯＡＭ…運用保守サーバ
ＴＣＥ…トレース収集ノード
【図１】
2012080367.tif 000003
【図２】
2012080367.tif 000004
【図３】
2012080367.tif 000005
【図４】
2012080367.tif 000006
【図５】
2012080367.tif 000007
【図６】
2012080367.tif 000008